(57)【要約】【課題】撮影者の著作権の充分な保護を図りながら、映像作品の編集等において素材として使用される予め撮影された映像情報の集約化を図ることを可能とし、映像作品の編集等において必要な映像情報の取得を容易化する。【解決手段】制御部１２は、送信制御情報メモリ１２ａに記憶された手順に従い、素材情報メモリ１１から読み出した目録情報を映像情報受信装置２０に送信し、目録情報に基づいて映像情報受信装置２０により選択された映像情報に応じたサンプル映像をサンプル映像作成部１４に作成させて映像情報受信装置２０に送信し、映像情報受信装置２０により指定された映像情報とその開始点及び終了点に応じた課金情報を課金情報処理部１５に処理させて映像情報受信装置２０に送信し、指定された映像情報をその指定された開始点より終了点まで素材情報メモリ１１から読み出して映像情報受信装置２０に送信する。【選択図】図１
2005102128.tif 000002
【特許請求の範囲】
【請求項１】
映像情報受信装置に映像情報を供給する映像情報供給装置であって、
映像情報及び前記映像情報の目録情報をストレージに記憶している映像情報記憶手段と、
サンプル映像作成情報メモリに記憶された手順に従い、前記映像情報からサンプル映像を作成するサンプル映像作成手段と、
課金情報処理情報メモリに記憶された手順に従い、前記映像情報に関する課金情報を処理する課金情報処理手段と、
送信制御情報メモリに記憶された手順に従い、前記映像情報、前記目録情報、前記サンプル映像及び前記課金情報の映像情報受信手段への送信を制御する送信制御手段と、
を有し、
前記送信制御手段は、前記送信制御情報メモリに記憶された手順に従い、前記目録情報を前記映像情報記憶手段から読み出して前記映像情報受信装置に送信し、前記目録情報に基づいて前記映像情報受信装置により選択された前記映像情報に応じた前記サンプル映像を前記サンプル映像作成手段に作成させて前記映像情報受信装置に送信し、前記映像情報受信装置により指定された前記映像情報とその開始点及び終了点に応じた課金情報を前記課金情報処理手段に処理させて前記映像情報受信装置に送信し、前記指定された前記映像情報をその指定された開始点より終了点まで前記映像情報記憶手段から読み出して前記映像情報受信装置に送信し、
少なくとも、同一又は異なる場所に存在する前記サンプル映像作成手段と、前記課金情報処理手段と、前記送信制御手段と、を含むこと
を特徴とする映像情報供給装置。
【請求項２】
映像情報及び前記映像情報の目録情報を記憶している映像情報記憶手段を有し、前記映像情報、前記目録情報、前記映像情報から作成したサンプル映像、及び前記映像情報に関する課金情報を供給する映像情報供給装置から映像情報を受信する映像情報受信装置であって、
受信制御情報メモリに記憶された手順に従い、映像情報供給装置からの受信を制御する受信制御手段と、
前記受信制御手段に制御信号を入力する入力手段と、
前記受信制御手段より出力される信号を表示する表示手段と、
を有し、
前記受信制御手段は、前記受信制御情報メモリに記憶された手順に従い、前記目録情報を前記映像情報供給装置から受信して前記表示手段に表示し、前記目録情報に基づいて前記入力手段により選択された前記映像情報を前記映像情報供給装置に通知し、前記選択された前記映像情報に応じた前記サンプル映像を映像情報供給装置から受信して前記表示手段に表示し、前記入力手段により指定された映像情報と開始点及び終了点を前記映像情報送信装置に通知し、前記指定された映像情報とその開始点及び終了点に応じた前記課金情報を前記映像情報供給装置から受信して前記表示手段に表示し、前記指定された前記映像情報をその指定された開始点より終了点まで前記映像情報供給装置から受信すること
を特徴とする映像情報受信装置。
【請求項３】
映像情報及び前記映像情報の目録情報を記憶している映像情報記憶手段を有し、前記映像情報、前記目録情報、及び前記映像情報から作成したサンプル映像を供給する映像情報供給装置から映像情報を受信して編集する映像情報編集装置であって、
受信制御情報メモリに記憶された手順に従い、映像情報供給装置からの受信を制御する受信制御手段と、
編集処理情報メモリに記憶された手順に従い、タイムラインに沿って映像情報を編集する編集処理手段と、
前記受信制御手段及び前記編集処理手段に制御信号を入力する入力手段と、
前記受信制御手段及び前記編集処理手段より出力される信号を表示する表示手段と、
を有し、
前記受信制御手段は、前記受信制御情報メモリに記憶された手順に従い、前記目録情報を前記映像情報供給装置から受信して前記表示手段に表示し、前記目録情報に基づいて前記編集処理手段により選択された前記映像情報を前記映像情報供給装置に通知し、前記選択された前記映像情報に応じた前記サンプル映像を映像情報供給装置から受信して前記表示手段に表示し、前記編集処理手段により指定された映像情報と開始点及び終了点を前記映像情報送信装置に通知し、前記指定された映像情報とその開始点及び終了点に応じた前記課金情報を前記映像情報供給装置から受信して前記表示手段に表示し、前記指定された前記映像情報をその指定された開始点より終了点まで前記映像情報供給装置から受信し、
前記編集処理手段は、前記編集処理情報メモリに記憶された手順に従い、前記入力手段による入力に応じ、前記表示手段上のタイムラインに前記目録情報を配置することで目録情報を選択し、前記タイムラインに沿って前記サンプル映像を編集することで映像情報とその開始点及び終了点を指定すること
を特徴とする映像情報編集装置。
【請求項４】
前記映像情報供給装置は、前記映像情報に関する課金情報をさらに供給すること
を特徴とする請求項３記載の映像情報編集装置。
【発明の詳細な説明】
【技術分野】
【０００１】
本発明は、通信回線を介して映像情報を供給する映像情報供給装置、通信回線を介して供給された映像情報を受信する映像情報受信装置、及び通信回線を介して供給された映像情報を編集する映像情報編集装置に関する。
【背景技術】
【０００２】
従来、種々の映像情報がテレビジョンその他のメディアにおいて放送、放映されている。このような映像情報は、予めそれぞれ別個の場所、時刻に撮影された映像情報の中から適宜の映像情報を選択し、これを素材として編集して、一つの映像作品として完成される場合が多い。
【０００３】
そして、このような映像作品の編集において素材として使用される予め撮影された映像情報としては、特に使用目的を限定せずに、汎用的な映像情報として用意されているものがある。
【０００４】
一方、近年において、映像情報の供給、配信手段として、いわゆるインターネット等の通信回線が提案されており、特許文献１に記載されているように、このような通信回線を通して映像作品の素材となる映像情報が流通しつつある。
【特許文献１】特開２００３−０１８５６６号公報
【発明の開示】
【発明が解決しようとする課題】
【０００５】
ところで、前述のように、映像作品の編集において素材として使用される予め撮影された映像情報は、複数の撮影者においてそれぞれ保存されていることが多いため、いろいろなところに散在して保管されている。したがって、所望の映像情報を取得することが困難である場合が多い。
【０００６】
また、インターネット等の通信回線を通して映像作品の素材となる映像情報を流通させる場合においては、流通された映像情報は容易に大量にコピーされてしまうため、撮影者の著作権の保護を的確に図ることが困難となってしまう。
【０００７】
このように、撮影者の著作権が的確に保護されない状況があるため、映像情報はますます秘蔵化されてしまい、必要な映像情報を取得することが一層困難となってしまうのである。
【０００８】
そこで、本発明は、上述の実情に鑑みて提案されるものであって、撮影者の著作権の充分な保護を図りながら、映像作品の編集等において素材として使用される予め撮影された映像情報の集約化を図ることを可能とし、映像作品の編集等において必要な映像情報の取得を容易化し、また、編集作業を容易化することができる映像情報供給装置、映像情報受信装置及び映像情報編集装置を提供することを目的とするものである。
【課題を解決するための手段】
【０００９】
前述の課題を解決するため、本発明に係る映像供給装置は、映像情報受信装置に映像情報を供給するものであって、映像情報及び前記映像情報の目録情報をストレージに記憶している映像情報記憶手段と、サンプル映像作成情報メモリに記憶された手順に従い、前記映像情報からサンプル映像を作成するサンプル映像作成手段と、課金情報処理情報メモリに記憶された手順に従い、前記映像情報に関する課金情報を処理する課金情報処理手段と、送信制御情報メモリに記憶された手順に従い、前記映像情報、前記目録情報、前記サンプル映像及び前記課金情報の映像情報受信手段への送信を制御する送信制御手段と、を有し、前記送信制御手段は、前記送信制御情報メモリに記憶された手順に従い、前記目録情報を前記映像情報記憶手段から読み出して前記映像情報受信装置に送信し、前記目録情報に基づいて前記映像情報受信装置により選択された前記映像情報に応じた前記サンプル映像を前記サンプル映像作成手段に作成させて前記映像情報受信装置に送信し、前記映像情報受信装置により指定された前記映像情報とその開始点及び終了点に応じた課金情報を前記課金情報処理手段に処理させて前記映像情報受信装置に送信し、前記指定された前記映像情報をその指定された開始点より終了点まで前記映像情報記憶手段から読み出して前記映像情報受信装置に送信し、少なくとも、同一又は異なる場所に存在する前記サンプル映像作成手段と、前記課金情報処理手段と、前記送信制御手段と、を含む。
【００１０】
前記送信制御手段は、前記映像情報受信装置が認証された後に、前記目録情報、前記サンプル映像、又は前記映像情報を送信することが好ましい。
【００１１】
前記送信制御手段は、前記課金情報に基づいて、決済が行われた後に、前記映像情報を送信することが好ましい。
【００１２】
本発明に係る映像情報受信装置は、映像情報及び前記映像情報の目録情報を記憶している映像情報記憶手段を有し、前記映像情報、前記目録情報、前記映像情報から作成したサンプル映像、及び前記映像情報に関する課金情報を供給する映像情報供給装置から映像情報を受信するものであって、受信制御情報メモリに記憶された手順に従い、映像情報供給装置からの受信を制御する受信制御手段と、前記受信制御手段に制御信号を入力する入力手段と、前記受信制御手段より出力される信号を表示する表示手段と、を有し、前記受信制御手段は、前記受信制御情報メモリに記憶された手順に従い、前記目録情報を前記映像情報供給装置から受信して前記表示手段に表示し、前記目録情報に基づいて前記入力手段により選択された前記映像情報を前記映像情報供給装置に通知し、前記選択された前記映像情報に応じた前記サンプル映像を映像情報供給装置から受信して前記表示手段に表示し、前記入力手段により指定された映像情報と開始点及び終了点を前記映像情報送信装置に通知し、前記指定された映像情報とその開始点及び終了点に応じた前記課金情報を前記映像情報供給装置から受信して前記表示手段に表示し、前記指定された前記映像情報をその指定された開始点より終了点まで前記映像情報供給装置から受信する。
【００１３】
前記受信制御手段は、認証を行った後に、前記映像情報供給装置から前記目録情報、前記サンプル映像、又は前記映像情報を受信することが好ましい。
【００１４】
前記受信制御手段は、前記課金情報に基づいて、決済が行われた後に、前記映像情報を受信することが好ましい。
【００１５】
少なくとも、同一又は異なる場所に存在する前記受信制御手段と、前記入力手段と、前記表示手段と、を含むことが好ましい。
【００１６】
本発明に係る映像情報編集装置は、映像情報及び前記映像情報の目録情報を記憶している映像情報記憶手段を有し、前記映像情報、前記目録情報、及び前記映像情報から作成したサンプル映像を供給する映像情報供給装置から映像情報を受信して編集するものであって、受信制御情報メモリに記憶された手順に従い、映像情報供給装置からの受信を制御する受信制御手段と、編集処理情報メモリに記憶された手順に従い、タイムラインに沿って映像情報を編集する編集処理手段と、前記受信制御手段及び前記編集処理手段に制御信号を入力する入力手段と、前記受信制御手段及び前記編集処理手段より出力される信号を表示する表示手段と、を有し、前記受信制御手段は、前記受信制御情報メモリに記憶された手順に従い、前記目録情報を前記映像情報供給装置から受信して前記表示手段に表示し、前記目録情報に基づいて前記編集処理手段により選択された前記映像情報を前記映像情報供給装置に通知し、前記選択された前記映像情報に応じた前記サンプル映像を映像情報供給装置から受信して前記表示手段に表示し、前記編集処理手段により指定された映像情報と開始点及び終了点を前記映像情報送信装置に通知し、前記指定された映像情報とその開始点及び終了点に応じた前記課金情報を前記映像情報供給装置から受信して前記表示手段に表示し、前記指定された前記映像情報をその指定された開始点より終了点まで前記映像情報供給装置から受信し、前記編集処理手段は、前記編集処理情報メモリに記憶された手順に従い、前記入力手段による入力に応じ、前記表示手段上のタイムラインに前記目録情報を配置することで目録情報を選択し、前記タイムラインに沿って前記サンプル映像を編集することで映像情報とその開始点及び終了点を指定する。
【００１７】
前記映像情報供給装置は、前記映像情報に関する課金情報をさらに供給することが好ましい。
【００１８】
前記受信制御手段は、認証を行った後に、前記映像情報供給装置から前記目録情報、前記サンプル映像、又は前記映像情報を受信することが好ましい。
【００１９】
前記受信制御手段は、前記課金情報に基づいて、決済が行われた後に、前記映像情報を受信することが好ましい。
【００２０】
前記編集処理手段は、前記映像情報供給装置から供給された前記映像情報をレンダリングすることが好ましい。
【００２１】
少なくとも、同一又は異なる場所に存在する受信制御手段と、編集処理手段と、入力手段と、表示手段と、を含むことが好ましい。
【００２２】
複数の素材の各々を表す複数の目録情報（或いはインデックス情報、サムネイル情報）を、通信回線上のサーバから受信し、少なくとも目録情報の素材番号Ｎをメモリ（記憶装置）内に記憶すると共に、表示装置上に表示するステップと、
ユーザによる、前記表示の内の一つの目録情報の選択に応じて、当該目録情報の素材番号Ｎをメモリ２１ｃへ記憶すると共にサーバへ送信するステップと、
サーバから、当該素材番号Ｎに対応する素材のサンプル画像及び素材のインタイムｔｉ・アウトタイムｔｏを受信し、前記インタイムｔｉ・アウトタイムｔｏを前記素材番号Ｎに関連付けて素材情報メモリ２１ｃへ記憶し、サンプル画像を当該素材番号Ｎと関連づけて画像メモリ２６ａへ記憶するステップと、
前記素材情報メモリ２１ｃ中の、インタイムｔｉ・アウトタイムｔｏを読み出し、このデータを、素材番号Ｎ（又はその素材番号に対応するサンプル画像の代表画像）と共に表示画面上に、数値表示及び画像表示するステップと、
前記画像表示を介しての（或いは前記表示に対する）ユーザからの入力に応じて、前記素材情報メモリ２１ｃ中のインタイムｔｉ・アウトタイムｔｏを更新するとともに、当該更新されたメモリ内容に応じて、インタイムｔｉ・アウトタイムｔｏの数値表示を更新するステップと、
前記更新されたインタイムｔｉ・アウトタイムｔｏを素材情報メモリ２１ｃから読み出し、当該インタイムｔｉ・アウトタイムｔｏ間の素材の料金を計算し、計算結果を素材情報メモリ２１ｃへ記憶すると共に、当該料金を表示装置上に数値表示するステップと、
ユーザからの購入決定入力に応じて、前記素材番号Ｎ及びインタイムｔｉ・アウトタイムｔｏを素材情報メモリ２１ｃから読み出し、サーバへ送信するステップと、
前記送信に応じて、前記素材番号Ｎの真正画像データ内、インタイムｔｉ・アウトタイムｔｏ間の真正画像データを、サーバ側から受信し、前記真正画像データを、前記画像メモリ２６ａへ記憶するステップと、
を有する
映像情報受信方法。
【００２３】
複数の素材の各々を表す複数の目録情報（或いはインデックス情報、サムネイル情報）を、通信回線上のサーバから受信し、少なくとも目録情報の素材番号Ｎをメモリ（記憶装置）内に記憶すると共に、表示装置上に表示する手段と、
ユーザによる、前記表示の内の一つの目録情報の選択に応じて、当該目録情報の素材番号Ｎをメモリ２１ｃへ記憶すると共にサーバへ送信する手段と、
サーバから、当該素材番号Ｎに対応する素材のサンプル画像及び素材のインタイムｔｉ・アウトタイムｔｏを受信し、前記インタイムｔｉ・アウトタイムｔｏを前記素材番号Ｎに関連付けて素材情報メモリ２１ｃへ記憶し、サンプル画像を当該素材番号Ｎと関連づけて画像メモリ２６ａへ記憶する手段と、
前記素材情報メモリ２１ｃ中の、インタイムｔｉ・アウトタイムｔｏを読み出し、このデータを、素材番号Ｎ（又はその素材番号に対応するサンプル画像の代表画像）と共に表示画面上に、数値表示及び画像表示する手段と、
前記画像表示を介しての（或いは前記表示に対する）ユーザからの入力に応じて、前記素材情報メモリ２１ｃ中のインタイムｔｉ・アウトタイムｔｏを更新するとともに、当該更新されたメモリ内容に応じて、インタイムｔｉ・アウトタイムｔｏの数値表示を更新する手段と、
前記更新されたインタイムｔｉ・アウトタイムｔｏを素材情報メモリ２１ｃから読み出し、当該インタイムｔｉ・アウトタイムｔｏ間の素材の料金を計算し、計算結果を素材情報メモリ２１ｃへ記憶すると共に、当該料金を表示装置上に数値表示する手段と、
ユーザからの購入決定入力に応じて、前記素材番号Ｎ及びインタイムｔｉ・アウトタイムｔｏを素材情報メモリ２１ｃから読み出し、サーバへ送信する手段と、
前記送信に応じて、前記素材番号Ｎの真正画像データ内、インタイムｔｉ・アウトタイムｔｏ間の真正画像データを、サーバ側から受信し、前記真正画像データを、前記画像メモリ２６ａへ記憶する手段と、
を有する
映像情報受信装置。
【００２４】
a) 表示装置上に、タイムラインを表示するステップと、
b) 複数の外部素材の各々を表す複数の目録情報（或いはインデックス情報、サムネイル情報）を、通信回線上のサーバから受信し、少なくとも目録情報の素材番号Ｎをメモリ（記憶装置）内に記憶すると共に、表示装置上に表示するステップと、
c) ユーザが、前記表示の内の一つの目録情報をタイムライン上の適宜位置へドラッグ・ドロップするのに応じて、タイムライン上に於ける他の素材との前後関係を配列メモリ５３ｂへ記憶するとともに、素材番号Ｎをサーバへ送信するステップと、
d) サーバから、当該素材番号Ｎに対応する外部素材のサンプル画像及び素材のインタイムｔｉ・アウトタイムｔｏを受信し、前記インタイムｔｉ・アウトタイムｔｏを前記素材番号Ｎに関連付けて素材情報メモリ５１ｃへ記憶し、サンプル画像を当該素材番号Ｎと関連づけて画像メモリ５６ａへ記憶するステップと、
e) 前記素材情報メモリ５１ｃ中の、素材番号Ｎのインタイムｔｉ・アウトタイムｔｏを読み出し、当該インタイムｔｉ・アウトタイムｔｏを、（好ましくはサンプル画像の素材番号或いは代表画像と共に、）タイムライン上の幅として画像表示するステップと、
f) 前記タイムライン上の幅を、ユーザが入力手段（例えばマウス）により変更することにより、前記素材情報メモリ２１ｃ中のインタイムｔｉ・アウトタイムｔｏを更新するステップと、
g) ユーザによる前記タイムライン上での複数の素材の前後関係の更新指示に応じて、前記配列メモリ５３ａ中での素材配列順を更新するステップと、
h) 編集装置内部の記憶装置に記憶されている内部素材についてもｃ)-ｇ)を実行する（ただし、サーバは内部記憶装置に置換される）ステップと、
i) ユーザからの指示に応じて、前記配列メモリ５３ａから素材配列順を読み出し、且つ、素材情報メモリ５１ｃからインタイムｔｉ・アウトタイムｔｏを読み出すことにより、タイムライン上に配列されている、単数又は複数の内部素材と単数又は複数の外部素材（サーバからのサンプル素材）とを、一連の動画としてレンダリングするステップと、
j) （好ましくは、前記外部素材Ｎのインタイムｔｉ・アウトタイムｔｏを素材メモリから読み出し、当該インタイムｔｉ・アウトタイムｔｏ間の素材の料金を計算し、計算結果を素材情報メモリ２１ｃへ記憶すると共に、当該料金を表示装置上に、素材番号Ｎと共に数値表示するステップと）、
k) ユーザからの購入決定入力に応じて、外部素材番号Ｎ及びインタイムｔｉ・アウトタイムｔｏを素材情報メモリ５１ｃから読み出し、サーバへ送信するステップと、
l) 前記配列メモリから配列データを読み出し、前記内部素材メモリ５７ａから、選択された内部素材の素材番号Ｎ及びインタイムｔｉ・アウトタイムｔｏに対応する内部素材画像を読み出し、前記サーバから、選択された外部素材の素材番号Ｎ及びインタイムｔｉ・アウトタイムｔｏに対応する外部素材画像を読み出し、完全パッケージとしての一つのファイルを作成するステップと、
を有する
映像情報作成方法。
【００２５】
a) 表示装置上に、タイムラインを表示する手段と、
b) 複数の外部素材の各々を表す複数の目録情報（或いはインデックス情報、サムネイル情報）を、通信回線上のサーバから受信し、少なくとも目録情報の素材番号Ｎをメモリ（記憶装置）内に記憶すると共に、表示装置上に表示する手段と、
c) ユーザが、前記表示の内の一つの目録情報をタイムライン上の適宜位置へドラッグ・ドロップするのに応じて、タイムライン上に於ける他の素材との前後関係を配列メモリ５３ｂへ記憶するとともに、素材番号Ｎをサーバへ送信する手段と、
d) サーバから、当該素材番号Ｎに対応する外部素材のサンプル画像及び素材のインタイムｔｉ・アウトタイムｔｏを受信し、前記インタイムｔｉ・アウトタイムｔｏを前記素材番号Ｎに関連付けて素材情報メモリ５１ｃへ記憶し、サンプル画像を当該素材番号Ｎと関連づけて画像メモリ５６ａへ記憶する手段と、
e) 前記素材情報メモリ５１ｃ中の、素材番号Ｎのインタイムｔｉ・アウトタイムｔｏを読み出し、当該インタイムｔｉ・アウトタイムｔｏを、（好ましくはサンプル画像の素材番号或いは代表画像と共に、）タイムライン上の幅として画像表示する手段と、
f) 前記タイムライン上の幅を、ユーザが入力手段（例えばマウス）により変更することにより、前記素材情報メモリ２１ｃ中のインタイムｔｉ・アウトタイムｔｏを更新する手段と、
g) ユーザによる前記タイムライン上での複数の素材の前後関係の更新指示に応じて、前記配列メモリ５３ａ中での素材配列順を更新する手段と、
h) 編集装置内部の記憶装置に記憶されている内部素材についてもｃ)-ｇ)を実行する（ただし、サーバは内部記憶装置に置換される）手段と、
i) ユーザからの指示に応じて、前記配列メモリ５３ａから素材配列順を読み出し、且つ、素材情報メモリ５１ｃからインタイムｔｉ・アウトタイムｔｏを読み出すことにより、タイムライン上に配列されている、単数又は複数の内部素材と単数又は複数の外部素材（サーバからのサンプル素材）とを、一連の動画としてレンダリングする手段と、
j) （好ましくは、前記外部素材Ｎのインタイムｔｉ・アウトタイムｔｏを素材メモリから読み出し、当該インタイムｔｉ・アウトタイムｔｏ間の素材の料金を計算し、計算結果を素材情報メモリ２１ｃへ記憶すると共に、当該料金を表示装置上に、素材番号Ｎと共に数値表示する手段と）、
k) ユーザからの購入決定入力に応じて、外部素材番号Ｎ及びインタイムｔｉ・アウトタイムｔｏを素材情報メモリ５１ｃから読み出し、サーバへ送信する手段と、
l) 前記配列メモリから配列データを読み出し、前記内部素材メモリ５７ａから、選択された内部素材の素材番号Ｎ及びインタイムｔｉ・アウトタイムｔｏに対応する内部素材画像を読み出し、前記サーバから、選択された外部素材の素材番号Ｎ及びインタイムｔｉ・アウトタイムｔｏに対応する外部素材画像を読み出し、完全パッケージとしての一つのファイルを作成する手段と、
を有する
映像情報作成装置。
【発明の効果】
【００２６】
本発明によると、撮影者の著作権の充分な保護を図りながら、映像作品の編集等において素材として使用される予め撮影された映像情報の集約化を図ることを可能とし、映像作品の編集等において必要な映像情報の取得を容易化し、また、編集作業を容易化することができる。
【発明を実施するための最良の形態】
【００２７】
以下、本発明の実施の形態を図面を参照しながら説明する。
【００２８】
〔映像情報供給装置の構成〕
この実施形態は、本発明に係る映像情報供給装置を、サーバコンピュータ内に映像情報を蓄積して記憶しておき通信回線を通じて複数のユーザに供給するように構成したものである。
【００２９】
図１は、本実施の形態の映像情報供給装置及び映像情報受信装置を示すブロック図である。
【００３０】
本発明に係る映像情報供給装置１０は、映像情報を蓄積して記憶している映像情報記憶手段となる素材情報メモリ１１を有している。この素材情報メモリ１１は、例えば、テレビジョン放送などに使用する目的において充分な画質を有する映像情報の素材を素材ストレージ１１ａに順次蓄積して記憶している。
【００３１】
この素材情報メモリ１１において、素材ストレージ１１ａに記憶された映像情報は、それぞれがデータファイルとして記憶されており、ファイル名（素材番号）によって管理されている。すなわち、ファイル名（素材番号）を指定することにより、任意の映像情報を読み出すことができるように構成されている。
【００３２】
また、この素材情報メモリ１１は、映像情報に対応する目録情報も記憶している。この目録情報は、映像情報（素材ファイル）の階層構造を示すディレクトリ情報や各映像情報を縮小したサムネイルなどから構成される。
【００３３】
この素材情報メモリ１１は、送信制御手段となる送信制御部１２によって制御される。この送信制御部１２は、送信制御情報メモリ１２ａに記憶された手順に基づいて素材情報メモリ１１からの映像情報の読み出し等の制御を行う。この送信制御部１２は、素材情報メモリ１１から映像情報を読み出す場合において、一つの映像情報（一つのファイル）ごとに読み出すのみならず、一つの映像情報の一部のみをも読み出すことができるようになっている。すなわち、一つの映像情報のうちで、開始点（開始時刻）及び終了点（終了時刻）を指定することにより、これら開始点から終了点までの映像情報のみを読み出すことができる。
【００３４】
このようにして素材情報メモリ１１より読み出された映像情報は、インターフェース１３によって暗号化された上、この映像情報供給装置１０の外部に出力され、インターネット、ＬＡＮなどの通信回線３０を通じて映像情報受信装置２０に送られる。このインターフェース１３も、送信制御部１２により、素材情報メモリ１１より読み出された映像情報を外部に出力するタイミング等を制御される。
【００３５】
また、この映像情報供給装置１０は、素材情報メモリ１１から読み出された映像情報に基づいて、この映像情報よりも画質（解像度）の低いサンプル映像を作成するサンプル映像作成手段となるサンプル映像作成部１４を有している。このサンプル映像は、サンプル作成情報メモリ１４ａに記憶された手順に従い、劣化程度パラメータメモリ１４ｂから供給された劣化程度パラメータに応じて画質が低下されるとともに、例えば、「sample（サンプル）」等の付加情報メモリ１４ｃから供給された付加情報に応じて本物の映像情報（本映像情報）ではない旨を示す文字などがスーパーインポーズ（挿入）されており、このままではテレビジョン放送などに使用することはできないものである。
【００３６】
このサンプル映像は、インターフェース１３によって暗号化された上、この映像情報供給装置１０の外部に出力され、通信回線３０を通じて映像情報受信装置２０に送られる。
【００３７】
さらに、この映像情報供給装置１０は、映像情報に関する課金情報を処理する課金情報処理手段となる課金情報処理部１５を有している。この課金情報処理部１５は、課金情報処理情報メモリ１５ａに記憶された手順に従い、例えば素材情報メモリ１１より読み出されて外部に出力された映像情報の分（秒）単価及び出力された時間（分、秒）の積を課金情報として算出する。映像情報の分（秒）単価は、映像情報（素材ファイル）ごとに異なってもよい。
【００３８】
この課金情報は、インターフェース１３によって暗号化された上、この映像情報供給装置１０の外部に出力され、通信回線３０を通じて映像情報受信装置２０に送られる。
【００３９】
また、送信制御部１２には、この映像情報供給装置１０の外部の映像情報受信装置２０より、映像情報を指定するファイル名（素材番号）及び指定した映像情報のうちの開始点（開始時刻）と終了点（終了時刻）とを指定する指定情報が送られる。これらファイル名（素材番号）、開始点及び終了点は、送信制御部１２内の素材番号メモリ１２１、開始点メモリ１２３及び終了点メモリ１２５に記憶される。このような指定情報は、インターフェース１３を介して、外部の映像情報受信装置２０より送信制御部１２に送られる。
【００４０】
さらに、送信制御部１２には、この映像情報供給装置１０の外部の映像情報受信装置２０より、ユーザＩＤ及びパスワードを示す認証情報が送られる。この認証情報は、インターフェース１３を介して、外部の映像情報受信装置２０より送信制御部１２に送られる。送信制御部１２は、認証情報を受け取ると、例えば送信制御情報メモリ１２ａに予め記憶されている認証情報のリストと照合し、送られた認証情報が真正であるか否かを認証する。
【００４１】
〔映像情報供給装置の動作〕
以下、この映像情報供給装置１０の動作について説明する。
【００４２】
図２は、映像情報供給装置の動作を示すフローチャートである。
【００４３】
ステップＳ１１において、送信制御部１２は、送信制御情報メモリ１２ａに記憶された手順に従い、外部の映像情報受信装置２０からインターフェース１３を介して、認証情報として送られたユーザＩＤ及びパスワードが、真正であるか否かを認証する。そして、送信制御部１２は、前記認証情報が真正であると次のステップＳ１２に進み、そうでない場合にはこのステップＳ１１に留まる。
【００４４】
ステップＳ１２において、送信制御部１２は、送信制御情報メモリ１２ａに記憶された手順に従い、映像情報の検索及び選択を行うための目録情報を素材情報メモリ１１から読み出して映像情報受信装置２０に送信する。
【００４５】
ステップＳ１３において、送信制御部１２は、映像情報受信装置２０から通知された、前記目録情報に基づいて選択された映像情報に応じたサンプル映像をサンプル映像作成部１４において作成させる。このサンプル映像の作成は、サンプル映像作成部１４において、サンプル映像作成情報メモリ１４ａに記憶された手順に従い、劣化程度パラメータメモリ１４ｂに記憶された劣化程度パラメータ及び付加情報メモリ１４ｃに記憶された付加情報を用いて行われる。
【００４６】
ステップＳ１４において、送信制御部１２は、サンプル映像作成部１４で作成されたサンプル映像を映像情報受信装置２０に送信する。
【００４７】
ステップＳ１５において、送信制御部１２は、送信制御情報メモリ１２ａに記憶された手順に従い、映像情報受信装置２０から通知された指定された映像情報及びその開始点及び終了点を示す指定情報に基づく課金情報を課金情報処理部１５において処理させる。
【００４８】
ステップＳ１６において、送信制御部１２は、送信制御情報メモリ１２ａに記憶された手順に従い、ステップＳ１５において課金情報処理部１５において処理した課金情報を映像情報受信装置２０に送信し、さらに課金情報処理部１５に課金情報についての決済の処理を行わせる。
【００４９】
この決済は、いわゆる「オンライン決済」であって、クレジットカードの番号等をユーザが入力することによって、決済が完了する。なお、以下の説明における決済も同様である。
【００５０】
ステップＳ１７において、送信制御部１２は、送信制御情報メモリ１２ａに記憶された手順に従い、前記指定情報により指定された映像情報を指定された開始点から終了点まで素材情報メモリ１１から読み出して映像情報受信装置２０に送信する。
【００５１】
以上の映像情報供給装置の構成及び動作は、要するに次のようなものである。
【００５２】
複数の映像情報を記憶する映像メモリにして、各映像情報は、素材番号及び、複数のフレーム情報（及び当該フレーム情報と対応づけた時間情報）を有する映像メモリと、
前記複数の映像情報にそれぞれ対応する複数の目録情報を作成し記憶する目録情報メモリ（１１ａ）と、
前記複数の映像情報のうちの少なくとも一つの映像情報及び、当該映像情報を加工するための映像情報加工情報に基づいて、当該映像情報のサンプル映像を作成し、記憶するサンプル映像メモリ（１１ａ）と、
クライアント端末から、映像情報の素材番号と、開始点（開始時刻或いは開始フレーム等）と、終了点（終了時刻或いは終了フレーム等）とを受信し、それぞれを記憶する素材番号メモリ（１２１）、開始点メモリ（１２３）、終了点メモリ（１２５）と、
前記素材番号、開始点、終了点に基づいて、前記映像メモリから、対応する映像情報の開始点から終了点までを読み出して、その識別子と共に記憶するダウンロード用メモリ（１１ａ）と、
前記素材番号、開始点、終了点に基づいて、課金情報を作成し、記憶する課金情報メモリと、
を有し、
クライアント端末からの要求に応じて、前記目録情報を（例えば当該クライアント端末へ）送信し、
クライアント端末からの要求に応じて、前記サンプル情報を前記サンプル映像メモリから読み出し（例えば当該クライアント端末へ）送信し、
クライアント端末からの要求に応じて、前記映像情報及び前記課金情報を（例えば当該クライアント端末へ）送信する、
映像情報供給装置。
【００５３】
複数の映像情報を映像メモリに記憶するステップにして、各映像情報は、素材番号及び、複数のフレーム情報（及び当該フレーム情報と対応づけた時間情報）を有するものと、
前記複数の映像情報にそれぞれ対応する複数の目録情報を作成し目録情報メモリ（１１ａ）へ記憶するステップと、
クライアント端末からの要求に応じて、前記目録情報を（例えば当該クライアント端末へ）送信するステップと、
前記複数の映像情報のうちの少なくとも一つの映像情報及び、当該映像情報を加工するための映像情報加工情報に基づいて、当該映像情報のサンプル映像を作成し、サンプル映像メモリ（１１ａ）へ記憶するステップと、
クライアント端末からの要求に応じて、前記サンプル情報を前記サンプル映像メモリから読み出し（例えば当該クライアント端末へ）送信するステップと、
クライアント端末から、映像情報の素材番号と、開始点（開始時刻或いは開始フレーム等）と、終了点（終了時刻或いは終了フレーム等）とを受信し、素材番号メモリ（１２１）、開始点メモリ（１２３）、終了点メモリ（１２５）へそれぞれを記憶するステップと、
前記素材番号、開始点、終了点に基づいて、前記映像メモリから、対応する映像情報の開始点から終了点までを読み出して、ダウンロード用メモリ（１１ａ）へ、その識別子と共に記憶するステップと、
前記素材番号、開始点、終了点に基づいて、課金情報を作成し、課金情報メモリへ記憶するステップと、
クライアント端末からの要求に応じて、前記映像情報及び前記課金情報を（例えば当該クライアント端末へ）送信するステップと、
を有する映像情報の供給方法。
【００５４】
〔映像情報受信装置の構成〕
この実施形態は、本発明に係る映像情報受信装置を、サーバコンピュータ内に蓄積され記憶されている映像情報を通信回線を通じて受信するように構成したものである。
【００５５】
本実施形態の映像情報受信装置２０は、図１に示すように、前述の映像情報供給装置１０の送信制御部１２に接続され、受信制御情報メモリ２１ａに記憶された手順に従い受信制御を行う受信制御部２１を有している。
【００５６】
この受信制御部２１は、素材を指定する素材指定部２１ｂ、及び素材の配列（リスト）を指定するリスト素材指定部２１ｄを有している。素材指定部２１ｂは、指定した素材（素材番号）を素材指定情報メモリ２１ｃに記憶している。リスト素材指定部２１ｄは、素材のリスト（配列）をリスト素材指定情報メモリ２１ｅに記憶している。この受信制御部２１は、インターフェース２２を介して、通信回線３０及び映像情報供給装置１０のインターフェース１３に接続され、このインターフェース１３を介して、映像情報供給装置１０の送信制御部１２に接続されている。
【００５７】
インターフェース２２は、映像情報供給装置１０のインターフェース１３を介して送られる映像情報、サンプル映像及び課金情報を復号して、編集処理部２３に送る。なお、編集処理部２３における動作の詳細は、後述する映像情報編集装置５０における編集処理部５３と同様である（図１２参照）。
【００５８】
受信制御部２１には、表示部２４が接続されている。この表示部２４は、例えばＣＲＴ、ＬＣＤなどにより構成され、編集処理部２３から供給された映像情報、目録情報及び課金情報を表示する。
【００５９】
また、受信制御部２１には、ユーザがこの受信制御部２１に対してユーザＩＤ、パスワード、その他の情報の入力操作をするためのキーボード、マウス等の入力部２５が接続されている。
【００６０】
そして、編集処理部２３には、編集素材メモリ２６が接続されている。この編集素材メモリ２６は、映像情報供給装置１０から送られ編集処理部２３から出力されるサンプル映像、映像情報等を編集素材ストレージ２６ａに蓄積して記憶する。
【００６１】
〔映像情報受信装置の動作〕
以下、この映像情報受信装置の動作について説明する。
【００６２】
図３は、映像情報受信装置の動作を示すフローチャートである。
【００６３】
ステップＳ２１において、受信制御部２１は、受信制御情報メモリ２１ａに記憶された手順に従い、映像情報供給装置１０の送信制御部１２に対し、ユーザＩＤ及びパスワードを送信して認証を求める。
【００６４】
図４は、表示部に表示された認証前のウィンドウを示す図である。
【００６５】
編集処理部２３は、認証前の状態において、表示部２４に「ログイン」というボタン１０３があるウィンドウ１００Ａを表示する。入力部２５の例えばマウスを操作することによって、このボタン１０３を押引すると、表示部２４に認証ウィンドウ１０５がポップアップされて表示される。この認証ウィンドウ１０５には、ユーザＩＤ及びパスワードを入力する領域が設けられている。
【００６６】
入力部２５の例えばキーボードを操作することによってユーザＩＤ及びパスワードを入力すると、そのユーザＩＤ及びパスワードが認証ウィンドウ１０５に表示される。このように入力されたユーザＩＤ及びパスワードは、認証情報として編集処理部２３から受信制御部２１に送られ、さらに映像情報供給装置１０の送信制御部１２に送られる。
【００６７】
受信制御部２１は、認証情報のユーザＩＤ及びパスワードが送信制御部１２によって真正であると認証されると次のステップＳ２２に処理を進め、そうでない場合にはこのステップＳ２１に処理を留める。
【００６８】
ステップＳ２２において、受信制御部２１は、受信制御情報メモリ２１ａに記憶された手順に従い、映像情報供給装置１０の送信制御部１２から目録情報を受信する。編集処理部２３は、受信制御部２１によって受信された目録情報を表示部２４に表示する。このとき、編集処理部２３は、この目録情報を編集素材情報メモリ２６に記憶する。
【００６９】
図５は、目録情報の階層構造を示す図である。
【００７０】
目録情報は、映像のジャンルや内容にしたがって、映像情報が階層構造に分類されている。このような階層構造により、所望の映像情報に容易に到達することができる。
【００７１】
図６は、目録情報を表示するウィンドウを示す図である。
【００７２】
編集処理部２３は、表示部２４に目録情報が表示されたウィンドウ１００Ｂを表示する。
【００７３】
このウィンドウ１００Ｂは、目録情報の階層構造のディレクトリを示すディレクトリ表示領域１０７と、このディレクトリ表示領域１０７の選択されたディレクトリにおけるサムネイルを表示するサムネイル表示領域１０９とを有している。
【００７４】
次に、受信制御部２１は、図３に示すように、ステップＳ２３において、受信制御情報メモリ２１ａに記憶された手順に従い、表示した目録情報に基づくユーザによる映像情報の選択結果を映像情報供給装置１０の送信制御部１２に対して送信する。
【００７５】
映像情報の選択は、入力部２５の例えばマウスを操作することにより、ウィンドウ１００Ｂのサムネイル表示領域１０９に表示された一つのサムネイル１１５を選択することにより行う。このように選択されたサムネイルの素材番号は、編集処理部２３によって受信制御部２１に送られ、この素材番号はさらに受信制御部２１によって映像情報供給装置１０の送信制御部１２に通知される。
【００７６】
ステップＳ２４において、受信制御部２１は、受信制御情報メモリ２１ａに記憶された手順に従い、映像情報の選択結果に応じて映像情報供給装置１０の送信制御部１２より送信されたサンプル映像を受信する。
【００７７】
このサンプル映像は、編集処理部２３によって表示部２４により表示され、また、編集素材情報メモリ２６に記憶される。
【００７８】
図７は、表示部に表示されたサンプル映像を示す図である。
【００７９】
表示部２４に表示されたウィンドウ１００Ｃのサムネイル表示領域１０９において一つのサムネイル１１５をクリックすることにより選択すると、このサムネイル１１５に対応するサンプル映像が映像情報供給装置１０から映像情報受信装置２０にダウンロードされ、ウィンドウ１００Ｃ上にサンプル映像表示ウィンドウ１１１がポップアップしてこのサンプル映像表示ウィンドウ１１１にサンプル映像が動画として表示される。
【００８０】
ステップＳ２５において、受信制御部２１は、図３に示すように、受信制御情報メモリ２１ａに記憶された手順に従い、映像情報の指定及び指定した映像情報におけるサンプル映像に基づくユーザによる開始点及び終了点の指定を示す指定情報を送信制御部１２に対して送信する。
【００８１】
この素材指定は、編集処理部２３により行われる。すなわち、素材指定情報メモリ２１ｃは、素材番号メモリと、開始点メモリと、終了点メモリと、を有する（図示せず）。さらに、素材の配列（リスト）についても、受信制御部２１のリスト素材指定部２１ｄにより、リスト素材指定情報メモリ２１ｅに記憶されたリスト素材指定情報に従って行われる。
【００８２】
図８は、映像情報における開始点及び終了点の指定を説明する図である。
【００８３】
映像情報における開始点及び終了点の指定は、表示部２４において、サンプル映像におけるタイムコードにおいて開始点（イン点）及び終了点（アウト点）を指定することによって行う。これは、編集処理部２３に対する入力部２５の例えばマウスによる入力操作によって行われる。
【００８４】
このように指定された映像情報とその開始点及び終了点を示す指定情報は、編集処理部２３から受信制御部２１に送られ、さらに受信制御部２１から映像情報供給装置１０の送信制御部１２に通知される。
【００８５】
ステップＳ２６において、受信制御部２１は、受信制御情報メモリ２１ａに記憶された手順に従い、映像情報供給装置１０の送信制御部１２から送信される課金情報を受信する。この課金情報は、編集処理部２３によって表示部２４により表示され、前述のように決済が行われる。
【００８６】
図９は、表示部に表示された課金情報を説明する図である。
【００８７】
課金情報の表示は、表示部２５において、指定された映像情報（素材番号.とその映像情報の開始点から終了点までの時間及び金額を表示することによって行われる。
【００８８】
ステップＳ２７において、受信制御部２１は、図３に示すように、受信制御情報メモリ２１ａに記憶された手順に従い、指定された映像情報とその開始点及び終了点を示す指定情報に応じて送信制御部１２より送信される映像情報を受信する。この映像情報は、編集処理部２３によって編集素材メモリ２６に記憶される。
【００８９】
図１０は、映像情報が供給される一例を示す模式図である。
【００９０】
この図では、ユーザが指定した映像情報（素材ファイル）が、映像情報供給装置１０から通信回線３０を介して映像情報受信装置２０に供給される状態を示す。
【００９１】
図１１は、映像情報が供給される他の例を示す模式図である。
【００９２】
この図では、ユーザが指定した映像情報（素材ファイル）が、映像情報供給装置１０から郵送によって映像情報受信装置２０に供給される。
【００９３】
このように、ステップＳ２７における映像情報供給装置１０から映像情報受信装置２０への映像情報の供給は、通信回線３０に限られず、郵送、宅配便によるものなど種々の方法を適用することができる。
【００９４】
以上の映像情報受信装置の構成及び動作は、要するに次のようなものである。
【００９５】
映像情報の受信装置にして、
サーバから受信した素材番号及び複数のフレーム及び各フレームを特定するフレーム番号を含む映像サンプル情報などの受信情報を記憶する映像サンプル情報メモリ（２６）と、
入力手段から入力に応じて、前記映像サンプル情報で代表される映像情報のうちの取得しようとする複数のフレームを特定するための、開始フレーム番号及び終了フレーム番号を記憶する仮開始フレーム番号保存メモリ（２１ｃ）及び仮終了フレーム番号保存メモリ（２１ｃ）と、
当該素材番号を記憶する仮選択素材番号保存メモリ（２１ｃ）と、
前記各仮メモリの値に基づいて計算された前記開始フレームと終了フレームとの間のフレーム数を記憶する仮フレーム数保存メモリ（２１ｃ）と、
前記仮フレーム数保存メモリの値に基づいて計算されるところの前記フレーム数に相当する料金を記憶する仮料金保存メモリと、
前記素材番号で特定される映像情報が有する全体のフレーム領域に対する、前記開始フレーム及び終了フレームの位置を図形的に表示する為のグラフに対応するグラフデータを記憶するグラフメモリと、
入力手段からの入力に応じて、確定した開始フレーム番号及び終了フレーム番号を記憶する確定開始フレーム番号保存メモリ（２１ｃ）及び確定終了フレーム番号保存メモリ（２１ｃ）と、
当該素材番号を記憶する確定選択素材番号メモリ（２１ｃ）と、
前記各確定メモリの値に基づいて計算される前記確定開始フレームと終了フレームとの間のフレーム数を記憶する確定フレーム数保存メモリ（２１ｃ）と、
前記確定フレーム数保存メモリの値に基づいて計算されるところの前記確定フレーム数に相当する確定料金を記憶する確定料金保存メモリと、
を有し、
前記各仮保存メモリの値と、グラフメモリからのグラフデータに基づいて、表示装置上に、前記映像情報の全体フレーム領域に対する、前記開始フレーム及び終了フレームの位置をグラフ表示すると共に、前記フレーム数及び料金を前記グラフ表示と共に（例えば数値で）表示し、
入力手段からの入力に応じて、前記確定選択素材番号、確定開始フレーム番号、確定終了フレーム番号をサーバへ送信し、
前記サーバから、前記確定選択素材番号、確定開始フレーム番号、確定終了フレーム番号に相当する映像情報を受信する、
映像情報受信装置。
【００９６】
映像情報の受信方法にして、
素材番号及び複数のフレーム及び各フレームを特定するフレーム番号を含む映像サンプル情報を、サーバから受信すると共に、受信情報を映像サンプル情報メモリ（２６）へ記憶するステップと、
入力手段から入力に応じて、前記映像サンプル情報で代表される映像情報のうちの取得しようとする複数のフレームを特定するための、開始フレーム番号及び終了フレーム番号を、仮開始フレーム番号保存メモリ（２１ｃ）及び仮終了フレーム番号保存メモリ（２１ｃ）へ記憶すると共に、当該素材番号を仮選択素材番号保存メモリ（２１ｃ）へ記憶し、且つ、前記各仮メモリの値に基づいて計算された前記開始フレームと終了フレームとの間のフレーム数を、仮フレーム数保存メモリ（２１ｃ）へ記憶し、前記仮フレーム数保存メモリの値に基づいて計算されるところの前記フレーム数に相当する料金を仮料金保存メモリへ記憶するステップと、
前記素材番号で特定される映像情報が有する全体のフレーム領域に対する、前記開始フレーム及び終了フレームの位置を図形的に表示する為のグラフに対応するグラフデータをグラフメモリへ記憶するステップと、
前記各仮保存メモリの値と、グラフメモリからのグラフデータに基づいて、表示装置上に、前記映像情報の全体フレーム領域に対する、前記開始フレーム及び終了フレームの位置をグラフ表示すると共に、前記フレーム数及び料金を前記グラフ表示と共に（例えば数値で）表示するステップと、
入力手段からの入力に応じて、確定した開始フレーム番号及び終了フレーム番号を、確定開始フレーム番号保存メモリ（２１ｃ）及び確定終了フレーム番号保存メモリ（２１ｃ）へ記憶すると共に、当該素材番号を確定選択素材番号メモリ（２１ｃ）へ記憶し、且つ、前記各確定メモリの値に基づいて計算される前記確定開始フレームと終了フレームとの間のフレーム数を、確定フレーム数保存メモリ（２１ｃ）へ記憶し、前記確定フレーム数保存メモリの値に基づいて計算されるところの前記確定フレーム数に相当する確定料金を確定料金保存メモリへ記憶するステップと、
入力手段からの入力に応じて、前記確定選択素材番号、確定開始フレーム番号、確定終了フレーム番号をサーバへ送信するステップと、
前記サーバから、前記確定選択素材番号、確定開始フレーム番号、確定終了フレーム番号に相当する映像情報を受信するステップと、
を有する映像情報受信方法。
【００９７】
〔映像情報編集装置の構成〕
この実施形態は、本発明に係る映像情報編集装置を、映像情報供給装置から受信した映像情報と、内部映像情報記憶手段により蓄積され記憶されている映像情報とを、編集できるように構成したものである。
【００９８】
図１２は、本実施の形態の映像情報供給装置及び映像情報編集装置示すブロック図である。
【００９９】
本発明に係る映像情報編集装置５０は、前述した映像情報受信装置２０と同様に、受信制御部５１、インターフェース５２、編集処理部５３、表示部５４、入力部５５及び編集素材情報メモリ５６を有している。これらの各部は、それぞれ映像情報受信装置２０における、受信制御部２１、インターフェース２２、編集処理部２３、表示部２４、入力部２５及び編集素材情報メモリ２６と同様の動作を行う。
【０１００】
本実施の形態では、映像情報編集装置５０が、映像情報を蓄積して記憶している内部素材情報記憶手段となる内部素材情報メモリ５７をさらに有している。この内部素材情報メモリ５７は、この映像情報編集装置５０のユーザが自ら撮影した映像信号や、外部から購入した映像信号等を内部素材ストレージ５７ａに蓄積して記憶している。
【０１０１】
受信制御部５１は、受信制御情報メモリ５１ａに記憶された手順に従い、内部素材情報メモリ５７からの映像情報の読み出しを制御する。この受信制御部５１は、内部素材情報メモリ５７から映像情報を読み出す場合において、一つの映像情報（一つのファイル）ごとに読み出すのみならず、一つの映像情報の一部のみをも読み出すことができるようになっている。すなわち、一つの映像情報のうちで、開始点（開始時刻）及び終了点（終了時刻）を指定することにより、これら開始点から終了点までの映像情報のみを読み出すことができる。このような映像情報についての素材指定は、受信制御部５１の素材指定部５１ｂにおいて、素材指定情報メモリ５１ｃに記憶された素材指定情報に従って行われる。また、素材の配列（リスト）は、受信制御部５１のリスト素材指定部５１ｄにおいて、リスト素材指定情報メモリ５１ｅに記憶されたリスト素材指定情報に従って行われる。
【０１０２】
編集処理部５３は、素材の配列（リスト）を設定する配列設定部５３ａ、素材のタイムラインを作成するタイムライン素材作成部５３ｂを有している。
【０１０３】
この編集処理部５３は、インターフェース５２を介して入力される映像情報及び内部素材情報メモリ５７より読み出される映像情報を編集処理する。
【０１０４】
表示部５４は、受信制御部５１に制御され、インターフェース５２を介して入力される映像情報、内部素材情報メモリ５７より読み出される映像情報及び編集処理部５３より出力される映像情報を表示する。
【０１０５】
〔映像情報編集装置の動作〕
以下、この映像情報編集装置の動作について説明する。
【０１０６】
図１３は、映像情報編集装置の動作を示すフローチャートである。
【０１０７】
ステップＳ３１において、受信制御部５１は、受信制御情報メモリ５１ａに記憶された手順に従い、映像情報供給装置１０の送信制御部１２に対し、ユーザＩＤ及びパスワードを送信して認証を求める。
【０１０８】
図１４は、認証の前後に表示部に表示されるウィンドウを示す図である。
【０１０９】
このとき、表示部５４に表示された認証前のウィンドウ２００Ａには、映像を表示する映像表示領域２１５、認証のためのユーザＩＤ及びパスワードの認証情報を入力する認証情報入力領域２０１、内部素材情報メモリ５７より読み出された目録情報がサムネイルとして表示される内部目録情報表示領域２０３、映像情報をタイムラインに沿って編集するタイムライン編集領域２０５が表示される。
【０１１０】
入力部５５からユーザＩＤ及びパスワードが入力されると、これらは認証情報入力領域２０１に表示され、さらに受信制御部５１によって映像情報供給装置１０の送信制御部１２に送られる。受信制御部５１は、送信制御部１２においてユーザＩＤ及びパスワードが認証されると次のステップＳ２２に処理を進め、そうでない場合にはこのステップＳ３１に処理を留める。
【０１１１】
ステップＳ３２において、受信制御部５１は、受信制御情報メモリ５１ａに記憶された手順に従い、映像情報供給装置１０の送信制御部１２より送信される目録情報を受信する。編集処理部５３は、この目録情報を表示部５４に表示する。このとき、編集処理部５３は、この編集素材情報メモリ５６に記憶する。
【０１１２】
図１４に示す認証後のウィンドウ２００Ｂでは、認証前のウィンドウ２００Ａにおける認証情報入力領域２０１が外部目録情報表示領域２０７に置き換えられている。外部目録情報表示領域２０７は、目録情報の階層構造のディレクトリを表示するディレクトリ表示領域２０７ａと目録情報のサムネイルを表示するサムネイル表示領域２０７ｂから構成される。サムネイル表示領域２０７ｂには、ディレクトリ表示領域２０７ａにおいて選択されたディレクトリに含まれる目録情報のサムネイルが表示される。
【０１１３】
ステップＳ３３において、受信制御部５１は、受信制御情報メモリ５１ａに記憶された手順に従い、目録情報に基づいて選択された映像を映像情報供給装置１０の送信制御部１２に通知する。
【０１１４】
図１５は、サムネイルをタイムライン上にドラッグすることによる映像情報の選択を示す図である。
【０１１５】
ウィンドウ２００Ｃのタイムライン編集領域２０５においては、外部目録情報表示領域２０７のサムネイル表示領域２０７ｂに表示された一つのサムネイル２５１を選択してタイムライン２０９上に移動させることにより、当該サムネイル２５１の目録情報に対応する映像情報を選択することができる。これは、ユーザが入力部５５の例えばマウスを用いてサムネイル２５１をドラッグし、このサムネイル２５１をタイムライン２０９上にドロップすることにより行われる。これによって、タイムライン２０９上には、第１のバー２０９ａが表示される。
【０１１６】
同様に、内部目録情報表示領域２０３に表示された一つのサムネイル２５３をドラッグしてライムライン２０９上にドロップすることにより、当該サムネイル２５３に対応する映像情報（内部映像情報）を選択することができる。これによって、ライムライン２０９には、第２のバー２０９ｂが表示される。
【０１１７】
これら第１及び第２のバー２０９ａ，２０９ｂは、タイムライン上で映像情報及び内部映像情報の開始点（開始時刻）、終了点（終了時刻）を示している。
【０１１８】
なお、前記サムネイル２５１，２５３を最初にタイムライン２０９上へドラッグ及びドロップした時、タイムライン情報メモリ５３ａへ記憶されるインタイム及びアウトタイムは、デフォルトとして、その映像情報の最初の時刻及び最終時刻が設定される。
【０１１９】
このようなタイムライン編集領域２０５における映像の編集作業は、編集処理部５３の制御の下に行われる。
【０１２０】
編集処理部５３は、選択された外部目録情報表示領域２０７のサムネイル２５１の素材番号をアクティブサムネイルメモリとして、タイムライン情報メモリ５３ａに記憶する。また同時に、前記ドロップされたタイムライン２０９上の位置に応じて、それ以前にタイムライン２０９上に置かれていた、他の画像情報との前後関係を示す配列情報を、配列情報メモリ５３ｂに記憶する。
【０１２１】
また、編集処理部５３は、選択されたサムネイル２５１の素材番号を受信制御部５１に送り、この素材番号は、受信制御部５１によってさらに映像情報供給装置１０の送信制御部１２に対して送信される。このようにして、映像情報編集装置５１から映像情報供給装置１０に目録情報に基づいた映像情報の選択結果が通知される。
【０１２２】
ステップＳ３４において、受信制御部５１は、受信制御情報メモリ５１ａに記憶された手順に従い、映像情報の選択結果に応じて映像情報供給装置１０の送信制御部１２より送信されたサンプル映像を受信する。
【０１２３】
編集制御部５３は、受信されたサンプル映像を前記目録情報の素材番号と関係付けて編集素材情報メモリ５６の編集素材ストレージ５６ａに蓄積して記憶する。そして、前記タイムライン２０９上にそのプレビューレンダリングした後の映像２１１を表示する。
【０１２４】
また、編集処理部５３は、タイムライン情報メモリ５３ａに記憶されたサンプル映像（素材番号）の開始点及び終了点に基づいて、各映像情報の使用料金を計算し、素材番号に関係付けて課金情報記憶部（図示しない）に記憶するとともに、素材番号・時間とともにウィンドウ２００Ｃ上にポップアップされた課金情報表示領域２１３に表示する。
【０１２５】
ステップＳ３５において、ユーザは、使用する映像情報（素材番号）及びそれぞれの映像情報の開始点及び終了点を示す指定情報を入力する。これは、入力部５５の例えばマウスによってタイムライン編集部２０５におけるタイムライン２００上の前記バー２０９ａ、２０９ｂなどを操作することによって行う。
【０１２６】
受信制御部５１は、指定された映像情報とその開始点及び終了点を編集処理部５３より受け取り、指定された映像情報とその開始点及び終了点を映像情報供給装置１０の送信制御部１２に対して送信する。
【０１２７】
ステップＳ３６において、編集処理部５３にユーザからのレンダリング指示が入力部５５から入力されると、編集処理部５３は、タイムライン情報メモリ５３ａ及び配列情報メモリ５３ｂからの素材番号、配列情報、開始点及び終了点に基づいて、編集素材情報メモリ５６から読みされたサンプル映像と、内部素材情報メモリ５７から読み出された内部映像情報を、一連の連続した動的映像として映像表示領域２１５に表示する。
【０１２８】
上記構成により、ユーザは、外部目録情報表示領域２０７に表示された映像情報供給装置１０の有する映像情報と、内部目録情報表示領域２０２に表示された内部素材情報メモリ５７に記憶された映像情報について、それぞれの目録情報（サムネイル）を参照することにより、種々の組み合わせ（前後関係、開始点、終了点）を検討し、映像として最も適切な組み合わせを決定することが出来る。
【０１２９】
図１６は、前記サンプル映像及び内部映像情報が編集され、レンダリングされた動作の概念図である。
【０１３０】
なお、このように編集された映像情報は、このままではテレビジョン放送などにおいて使用できる品質のものではなく、プレビューとして使用されるのみである。
【０１３１】
ステップＳ３７において、受信制御部５１は、受信制御情報メモリ５１ａに記憶された手順に従い、映像情報供給装置１０の送信制御部１２からの最終課金情報を受信し、編集処理部５３に送る。編集処理部５３は、この課金情報を表示部５４に表示し、購入を決定する。これによって、受信制御部５１及び編集処理部５３は、この課金情報の決済を行う。
【０１３２】
ステップＳ３８において、受信制御部５１は、受信制御情報メモリ５１ａに記憶された手順に従い、指定された映像情報とその開始点及び終了点の指定結果に応じて、映像情報供給装置１０の送信制御部１２より送信される映像情報（サンプル映像のように、グレードが落ちていない本物の情報。本映像情報とも称する。）を受信する。編集処理部５３は、映像情報を受信すると、ステップＳ３５における編集結果においてタイムライン情報メモリ５３ａ及び配列情報メモリ５３ｂに記憶された、サンプル映像の種々の情報（素材番号、インタイム・アウトタイム、素材配列）に基づいて、受信した一連の本映像をレンダリングする。このレンダリングによって、いろいろな映像情報（本映像）を組み合わせ、一つの作品としてのファイルを作成する。このように編集された映像情報は、「完全パッケージ」と称され、例えばテレビジョン放送などにおいてそのまま使用できる。図１７は、上記動作を示す模式図である。
【０１３３】
ここで、編集処理部５３は、映像情報供給装置１０から供給された映像情報に併せて、この映像情報編集装置５０の内部素材情報メモリ５７から読み出された内部映像情報（本映像）を組み合わせてレンダリングすることもできる。
【０１３４】
編集処理部５３は、図１７に示すように、ステップＳ３５における編集作業に基づいて、本映像がレンダリングされた完全パッケージを素材編集情報メモリ５６に記憶する。
【０１３５】
以上の映像情報編集装置の構成及び動作は、要するに次のようなものである。
【０１３６】
素材番号を含む外部映像目録及び内部映像目録を記憶するメモリ（５６）と、
外部映像目録及び内部映像目録をそれぞれ表示する領域を規定する外部映像目録枠及び内部映像目録領域枠を有する図形情報を記憶するメモリと、
タイムライン図形情報を記憶するメモリと、
画面上においてタイムライン上の第１位置に位置する第１映像の素材番号、スタートフレーム、エンドフレームを記憶する第１映像メモリ（５３ａ）と、
画面上においてタイムライン上の第２位置に位置する第２映像の素材番号、スタートフレーム、エンドフレームを記憶する第２映像メモリ（５３ａ）と、
画面上におけるタイムライン上の第１位置と第２位置の位置関係を記憶する配置メモリ（５３ｂ）と、
前記第１映像と第２映像の少なくとも一つは外部映像であり、当該外部映像のサンプル映像（それは前記スタートフレーム、エンドフレームを含む複数のフレームを有する）を記憶する少なくとも一つのサンプル映像メモリ（５６ａ）と、
複数のフレームを有する内部映像データを記憶する内部映像データメモリ（５７ａ）と、
タイムライン上の前記第１映像及び第２映像のスタートフレームからエンドフレームを、前記第１位置、第２位置の位置関係に応じて順次読み出し表示装置上に表示するレンダリング手段と、
入力に応じて、前記第１映像と第２映像の少なくとも一つである外部映像の素材番号、スタートフレーム、エンドフレーム番号を読み出しサーバへ送信する読み出し送信手段と、
サーバから受信した、前記素材番号、スタートフレーム、エンドフレームに対応する本物の外部映像を記憶する本物外部映像記憶メモリ（５６）と、
を有する映像情報編集装置。
【０１３７】
素材番号を含む外部映像目録及び内部映像目録をメモリ（５６）へ記憶するステップと、
外部映像目録及び内部映像目録をそれぞれ表示する領域を規定する外部映像目録枠及び内部映像目録領域枠を有する図形情報を第１図形メモリに記憶するステップと、
タイムライン図形情報を第２図形メモリに記憶するステップと、
前記外部映像目録枠及び内部映像目録領域枠内にある外部目録を、タイムライン上の第１位置へドラッグ・ドロップする操作に応じて、当該第１位置に位置する第１映像の素材番号、スタートフレーム、エンドフレームを第１映像メモリ（５３ａ）に記憶するステップと、
前記外部映像目録枠及び内部映像目録領域枠内にある外部映像目録又は内部映像目録を、タイムライン上の第２位置へドラッグ・ドロップする操作に応じて、当該第２位置に位置する第２映像の素材番号、スタートフレーム、エンドフレームを第２映像メモリ（５３ａ）に記憶するステップと、
画面上におけるタイムライン上の第１位置と第２位置の位置関係を配置メモリ（５３ｂ）に記憶するステップと、
前記第１映像と第２映像が外部映像でとき、前記ドラッグ・ドロップ操作に応じて、外部サーバからダウンロードした、当該外部映像のサンプル映像（それは前記スタートフレーム、エンドフレームを含む複数のフレームを有する）をサンプル映像メモリ（５６ａ）に記憶するステップと、
複数のフレームを有する内部映像データを内部映像データメモリ（５７ａ）に記憶するステップと、
入力手段からの指令に応じて、タイムライン上の前記第１映像及び第２映像のスタートフレームからエンドフレームを、前記第１位置、第２位置の位置関係に応じて順次読み出し表示装置上に表示するレンダリングステップと、
入力手段からの指令に応じて、前記第１映像と第２映像の少なくとも一つである外部映像の素材番号、スタートフレーム、エンドフレーム番号を読み出しサーバへ送信するステップと、
サーバから受信した、前記素材番号、スタートフレーム、エンドフレームに対応する本物の外部映像を含む完全パッケージを映像記憶メモリ（５６）に記憶するステップと、
を有する映像情報編集方法。
【０１３８】
〔第１の実施例〕
図１８は、第１の実施例の概略的な構成を示す図である。
【０１３９】
この実施例では、映像情報受信装置又は映像情報編集装置となるクライアント３０１と、ウェブサーバ３０２と、データサーバ３０３とがインターネット３００を介して接続されている。本実施例では、ウェブサーバ３０２及びデータサーバ３０３が映像情報配信装置を構成している。
【０１４０】
クライアント３０１は、ユーザが操作するパソコン端末である。このクライアント３０１は、図１に示した映像情報受信装置又は図１２に示した映像情報編集装置と同様の機能を有する。
【０１４１】
ウェブサーバ３０２は、インターネット３００を介した映像情報（素材ファイル）販売のためのインターフェースを担うサーバである。このウェブサーバ３０２は、ユーザ管理、素材管理等のデータベース機能も包含している。ウェブサーバ３０２は、例えば、映像情報配信装置１０における、送信制御部１２、送信制御情報メモリ１２ａ、インターフェース１３、課金情報処理部１５、課金情報処理情報メモリ１５ａの機能を有する。
【０１４２】
データサーバ３０３は、映像情報販売のためのデータ管理と映像情報をダウンロードするためのインターフェースを担っている。このデータサーバ３０３は、例えば、映像情報配信装置１０における、送信制御部１２、送信制御情報メモリ１２ａ、インターフェース１３、サンプル映像作成部１４、サンプル映像作成情報メモリ１４ａ、劣化程度パラメータメモリ１４ｂ、付加情報メモリ１４ｃの機能を有する。
【０１４３】
図中には、映像素材を蓄積する元データ格納用ストレージ３０３ａと、ダウンロードされる映像情報を格納するダウンロードデータ格納用ストレージ３０３ｂとが示されている。これら元データ格納用ストレージ３０３ａ及びダウンロードデータ格納用ストレージ３０３ｂは、映像情報配信装置１０の素材ストレージ１１ａに対応するものである。
【０１４４】
元データ格納用ストレージ３０３ａは、データサーバ３０３に接続又は格納され、元データとなる映像情報の全てを蓄積する。この元データ格納用ストレージ３０３ａは、インターネット３００から閲覧することはできない。
【０１４５】
ダウンロードデータ格納用ストレージ３０３ｂは、データサーバ３０３に接続又は内蔵され、送信制御部１２の制御によって、元データ格納用ストレージ３０３ａに蓄積された映像情報の内でクライアント３０１にダウンロードするための映像情報を格納する。このダウンロードデータ格納用ストレージ３０３ｂは、インターネット３００を介して閲覧することができる。
【０１４６】
ここで、送信制御部１２、送信制御情報メモリ１２ａ、インターフェース１３は、ウェブサーバ３０２及びデータサーバ３０３において、必要な機能を分担されている。なお、インターネット３００は、図１の通信回線３０に対応するものである。
【０１４７】
図１９は、第１の実施例における映像情報の販売の手順を示すフローチャートである。
【０１４８】
ステップＳ４１においては、ウェブサーバ３０２において認証を受けて特定されたクライアント３０１が、インターネット３００を介してウェブサーバ３０２へ映像情報（素材ファイル）の注文を確定する。この注文は、一つの映像情報（一つのファイル）ごとのみならず、一つの映像情報のうちで開始点（開始時刻）から終了点（終了時刻）までのように映像情報の一部を指定することができる。
【０１４９】
ステップＳ４２においては、ウェブサーバ３０２は、クライアント３０１の注文に基づいて、注文のあった映像情報をダウンロードデータ格納用ストレージ３０３ｂに格納するように、インターネット３００を介してデータサーバ３０３へ要請する。この映像情報がどのファイルに対応するかは、ウェブサーバ３０２の有する素材情報メモリ１１によるデータベースの機能によって調査する。
【０１５０】
ステップＳ４３においては、データサーバ３０３は、ウェブサーバ３０２からの要請に応じて、該映像情報のファイルを元データ格納用ストレージ３０３ａから読み出し、ダウンロードデータ格納用ストレージ３０３ｂに格納する。映像情報の一部の注文があった場合は、元データ格納用ストレージ３０３ａから対応するファイルのスタートフレーム（開始点）からエンドフレーム（終了点）までを切り出し、この部分をダウンロードデータ格納用ストレージ３０３ｂに格納する。データサーバ３０３は、このようにダウンロードデータ格納用ストレージ３０３ｂに格納したファイルに対して、特定の期間において特定の認証キー用いた場合にのみアクセスできるようにセキュリティをかける。
【０１５１】
ステップＳ４４においては、データサーバ３０３は、映像情報のファイル名、格納場所、認証キーと共に、素材情報の準備が完了した旨をインターネット３００を介してウェブサーバ３０２に通知する。
【０１５２】
ステップＳ４５においては、ウェブサーバ３０２は、データサーバ３０３のＵＲＬ、認証手続きと共に、ダウンロードの準備が完了した旨を、クライアント３０１にインターネット３００を介して電子メールで通知する。
【０１５３】
ステップＳ４６においては、クライアント３０１は、ウェブサーバ３０２からのダウンロード完了通知に従って、インターネット３００を介してデータサーバ３０３に接続し、認証を受ける。
【０１５４】
ステップＳ４７においては、クライアント３０１は、ダウンロード格納用ストレージ３０３ａからインターネット３００を介して、購入した素材をダウンロードする。
【０１５５】
〔第２の実施例〕
図２０は、第２の実施例の概略的な構成を示す図である。
【０１５６】
この実施例では、ウェブサーバ３１１、ストリーミングサーバ３１２及びデータサーバ３１３を備える映像情報販売会社３１０と、データサーバ３２１を備える第１のプロダクション３２０と、データサーバ３２２及びストリーミングサーバ３２３を備える第２のプロダクション３２０と、データサーバ３３１及びストリーミングサーバ３３２を備える第３のプロダクション３３０と、ストリーミングサーバ兼データサーバ３４１を備える第４のプロダクションとが、インターネット３００を介して接続している。
【０１５７】
ストリーミングサーバは、サンプル映像をストリーミングデータとして提供するものである。このストリーミングサーバは、例えば、図１に示した映像情報提供装置１０における、送信制御部１２、送信制御情報メモリ１２ａ、インターフェース１３、サンプル映像作成部１４、サンプル映像作成情報メモリ１４ａ、劣化程度パラメータメモリ１４ｂ、付加情報メモリ１４ｃの機能を有する。
【０１５８】
データサーバは映像情報（素材ファイル）を提供するものである。このデータサーバは、映像情報提供装置１０における、送信制御部１２、送信制御情報メモリ１２ａ、インターフェース１３の機能を有する。
【０１５９】
ウェブサーバ３１１は、第１の実施例と同様に、画像情報販売のためのインターフェースを担うサーバである。このウェブサーバは、例えば、映像情報配信装置１０における、送信制御部１２、送信制御情報メモリ１２ａ、インターフェース１３、課金情報処理部１５、課金情報処理情報メモリ１５ａの機能を有する。
【０１６０】
なお、図２０には示していないが、インターネット３００には、ウェブサーバ３１１に画像情報を注文し、購入した映像情報をダウンロードする１又は２以上のクライアントが接続されている。
【０１６１】
本実施例の具体的構成は、次のとおりである。映像情報販売会社３１０は、ウェブサーバ３１１、ストリーミングサーバ３１２及びデータサーバ３１３をそれぞれ独立して運用する。データサーバ３１３は、自社サーバを持たないプロダクションから預かった映像情報のみの保管・管理する。ストリーミングサーバ３１２は、各プロダクションが自社サーバを持つかどうかに関わらず、映像情報販売会社３１０及びプロダクションの有する全ての映像のストリーミングデータを保管・管理する。
【０１６２】
第１のプロダクション３２０は、自社が所有する映像の元データ（映像情報・素材ファイル）だけを、自社内のデータサーバ３２０で管理・配信する。この第１のプロダクション３２０は、映像情報販売会社３１０のストリーミングサーバ３１２から自社のストリーミングデータを提供しているため、映像情報販売会社３１０に対してストリーミングサーバ管理費が発生する。
【０１６３】
第２のプロダクション３３０は、自社が所有する映像の元データを自社内のデータサーバ３２２で管理・配信すると共に、自社の映像情報のみならず他のプロダクション及び映像情報販売会社３１０の所有する全ての映像情報のストリーミングデータも自社内のストリーミングサーバ３２２から配信する。このストリーミングサーバ３２２は、映像情報販売会社３１０内のストリーミングサーバ３１２のミラーサーバとなっている。このストリーミングサーバ３１２に対して、映像情報販売会社３１０からストリーミングミラーサーバ管理費が発生する。
【０１６４】
第３のプロダクション３３０は、コストなどの理由で複数の回線の確保が難しいため、データサーバ３３１とストリーミングサーバ３３２で同じ回線を共有している。この第３のプロダクション３３０の有する機能は、前述の第２のプロダクション３２０と同様である。ただ、この第３のプロダクション３３０のような構成は、映像保有数が多く、注文が多い場合は、前記共有した回線によってトラフィックが限られるので、不適切である。
【０１６５】
第４のプロダクション３４０は、ストリーミングサーバ機能とデータサーバ機能を兼用したストリーミングサーバ兼データサーバ３４１を運用している。このストリーミングサーバ件データサーバ３４１は、ストリーミングとしては自社の映像情報のみ配信する。したがって、このストリーミングサーバ兼データサーバ３４１については、映像情報販売会社３１０へのストリーミングサーバ関連の費用は発生しない。
【０１６６】
自社サーバを持たないプロダクション（図示なし）は、自社の映像情報を映像情報販売会社３１０のデータサーバ３１３に格納することになるので、映像情報販売会社３１０に対してデータサーバ管理費が発生する。
【０１６７】
この実施例では、第１の実施例のようにデータサーバが１台に限られず、プロダクションのような映像情報（素材ファイル）の所有者ごとにデータサーバ（ダウンロードデータ格納用・元データ格納用ストレージを含む）を備え、自分の有する映像情報をこのデータサーバで管理するものである。
【０１６８】
本実施例における映像情報の購入の手順は、データサーバが複数存在することを除いて、図１９に示した第１の実施例の手順と同様である。すなわち、どの映像情報がどのデータサーバに格納されているかは、映像情報販売会社３１０のウェブサーバ３１１のデータベースで管理し、このウェブサーバ３１１にクライアントから注文があったときには、ウェブサーバ３１１は該当するデータサーバに対して、そのデータサーバに接続又は内蔵されたダウンロード格納用ストレージに、注文された素材情報を格納するように要請する。クライアントから注文された素材情報が複数のデータベースにまたがる場合、ウェブサーバ３１１は複数の該当するデータサーバに映像情報をダウンロード格納用ストレージに格納するように要請する。そして、ウェブサーバ３１１は、それぞれのデータサーバからその格納が完了した旨の通知を取りまとめて、ダウンロードの準備が完了した旨の通知をクライアントへ送る。
【図面の簡単な説明】
【０１６９】
【図１】映像情報供給装置及び映像情報受信装置の構成を示すブロック図である。
【図２】映像情報供給装置の動作を示すフローチャートである。
【図３】映像情報受信装置の動作を示すフローチャートである。
【図４】表示部に表示された認証前のウィンドウを示す図である。
【図５】目録情報の階層構造を示す図である。
【図６】目録情報を表示するウィンドウを示す図である。
【図７】表示部に表示されたサンプル映像を示す図である。
【図８】映像情報における開始点及び終了点の指定を説明する図である。
【図９】表示部に表示された課金情報を説明する図である。
【図１０】映像情報が供給される一例を示す模式図である。
【図１１】映像情報が供給される他の例を示す模式図である。
【図１２】映像情報供給装置及び映像情報編集装置の構成を示すブロック図である。
【図１３】映像情報編集装置の動作を示すフローチャートである。
【図１４】認証の前後に表示部に表示されるウィンドウを示す図である。
【図１５】サムネイルをタイムライン上にドラッグすることによる映像情報の選択を示す図である。
【図１６】前記サンプル映像及び内部映像情報が編集されて一連の動作の概念図である。
【図１７】映像情報編集装置において、映像情報及び内部素材情報メモリより読み出された映像情報が編集されて表示される状態を示す模式図である。
【図１８】第１の実施例の概略的な構成を示す図である。
【図１９】第１の実施例における映像情報の販売の手順を示すフローチャートである。
【図２０】第２の実施例の概略的な構成を示す図である。
【符号の説明】
【０１７０】
１０  映像情報供給装置
１１  素材情報メモリ
１２  送信制御部
１３  インターフェース
１４  サンプル映像作成部
１５  課金情報処理部
２０  映像情報受信装置
２１  受信制御部
２２  インターフェース
２３  編集処理部
２４  表示部
２５  入力部
２６  編集素材情報メモリ
３０  通信回線
５０  映像情報編集装置
５１  受信制御部
５２  インターフェース
５３  編集処理部
５４  表示部
５５  入力部
５６  素材編集メモリ
５７  内部素材情報メモリ
【図１】
2005102128.tif 000003
【図２】
2005102128.tif 000004
【図３】
2005102128.tif 000005
【図５】
2005102128.tif 000006
【図１２】
2005102128.tif 000007
【図１３】
2005102128.tif 000008
【図１６】
2005102128.tif 000009
【図１７】
2005102128.tif 000010
【図１８】
2005102128.tif 000011
【図１９】
2005102128.tif 000012
【図２０】
2005102128.tif 000013
【図４】
2005102128.tif 000014
【図６】
2005102128.tif 000015
【図７】
2005102128.tif 000016
【図８】
2005102128.tif 000017
【図９】
2005102128.tif 000018
【図１０】
2005102128.tif 000019
【図１１】
2005102128.tif 000020
【図１４】
2005102128.tif 000021
【図１５】
2005102128.tif 000022